(57)【要約】【課題】静止画、及び動画を撮像する場合に、自然光だけでは光量が不足する場合でも、撮像に適切な光量の発光をさせる。【解決手段】本発明に係る撮像装置は、複数の画像を含む動画を撮像する撮像部と、撮像部が画像を撮像する場合に必要とされる動画用の要求光量を算出する要求光量算出部と、撮像部が画像を撮像する場合の露光期間において、要求光量算出部が算出した動画用の要求光量を所定の間欠発光回数で除した間欠発光用光量の光で発光部を所定の間欠発光回数発光させる発光制御部とを備える。【選択図】図１
2007158773.tif 000002
【特許請求の範囲】
【請求項１】
複数の画像を含む動画を撮像する撮像部と、
前記撮像部が画像を撮像する場合に必要とされる動画用の要求光量を算出する要求光量算出部と、
前記撮像部が画像を撮像する場合の露光期間において、前記要求光量算出部が算出した動画用の要求光量を所定の発光回数で除した発光用光量の光で発光部を所定の発光回数発光させる発光制御部と
を備える撮像装置。
【請求項２】
前記撮像部は、静止画を撮像し、
前記要求光量算出部は、前記撮像部が静止画を撮像する場合に必要とされる静止画用の要求光量を算出し、
前記発光制御部は、前記撮像部が静止画を撮像する場合の露光期間において、前記要求光量算出部が算出した静止画用の要求光量の光で前記発光部を発光させる
請求項１に記載の撮像装置。
【請求項３】
前記要求光量算出部が算出した動画用の要求光量を、所定の間欠発光回数で除した間欠発光用光量を算出して、前記発光制御部に通知する間欠発光用光量算出部
をさらに備え、
前記発光制御部は、前記間欠発光用光量算出部に通知された間欠発光用光量の光で前記発光部を所定の間欠発光回数発光させる
請求項１に記載の撮像装置。
【請求項４】
撮像部が撮像する場合に、被写体に対して発光する発光装置であって、
前記撮像部が画像を撮像する場合に、被写体に対して発光する発光部と、
前記撮像部が画像を撮像する場合に必要とされる動画用の要求光量を算出する要求光量算出部と、
前記撮像部が画像を撮像する場合の露光期間において、前記要求光量算出部が算出した動画用の要求光量を所定の間欠発光回数で除した間欠発光用光量の光で発光部を所定の間欠発光回数発光させる発光制御部と
を備える発光装置。
【請求項５】
撮像部が複数の画像を含む動画を撮像する場合に、被写体に対して発光する発光方法であって、
前記撮像部が画像を撮像する場合に必要とされる動画用の要求光量を算出する要求光量算出段階と、
前記撮像部が画像を撮像する場合の露光期間において、前記要求光量算出段階が算出した動画用の要求光量を所定の間欠発光回数で除した間欠発光用光量の光で発光部を所定の間欠発光回数発光させる発光制御段階と
を備える発光方法。
【請求項６】
複数の画像を含む動画を撮像する撮像部と、
前記撮像部が有する受光素子の実際の受光感度より高い仮想的な受光感度を算出する仮想受光感度算出部と、
前記仮想受光感度算出部が算出した仮想的な受光感度に基づいて、前記撮像部が画像を撮像する場合に必要とされる動画用の仮想的な要求光量を算出する仮想要求光量算出部と、
発光部が発光する光の合計光量が、前記仮想要求光量算出部が算出した前記仮想的な要求光量に、前記実際の受光感度に対する前記仮想的な受光感度の大きさを乗じた光量になるように前記発光部を複数回発光させる発光制御部と
を備える撮像装置。
【請求項７】
前記仮想受光感度算出部は、前記撮像部が有する受光素子の実際の受光感度に所定の発光回数を乗じた仮想的な受光感度を算出し、
前記発光制御部は、前記撮像部が画像を撮像する場合の露光期間において、前記仮想要求光量算出部が算出した動画用の要求光量の光で発光部を所定の間欠発光回数発光させる
請求項６に記載の撮像装置。
【請求項８】
撮像部が複数の画像を含む動画を撮像する場合に、被写体に対して発光する発光方法であって、
前記撮像部が有する受光素子の実際の受光感度より高い仮想的な受光感度を算出する仮想受光感度算出段階と、
前記仮想受光感度算出段階が算出した仮想的な受光感度に基づいて、前記撮像部が画像を撮像する場合に必要とされる動画用の仮想的な要求光量を算出する仮想要求光量算出段階と、
発光部が発光する光の合計光量が、前記要求光量算出段階が算出した前記仮想的な要求光量に、前記実際の受光感度に対する前記仮想的な受光感度の大きさを乗じた光量になるように前記発光部を複数回発光させる発光制御段階と
を備える発光方法。
【発明の詳細な説明】
【技術分野】
【０００１】
本発明は、撮像装置、発光装置、及び発光方法に関する。特に、本発明は、画像を撮像する場合に被写体に対して発光する撮像装置、発光装置、及び発光方法に関する。
【背景技術】
【０００２】
静止画、及び動画を撮像する場合において、キセノン管を短時間発光させる手段と、連続発光させる手段とを切り換えることによって、静止画、及び動画を、撮像に要求される光量が不足している場合でも撮像ができることを目的とした、ストロボ装置が提案されている（例えば、特許文献１参照）。また、自動間欠発光装置により、所定の間隔で間欠的に閃光を発する装置が提案されている（例えば、特許文献２参照）。
【特許文献１】特開２００３−２３３１０８号公報
【特許文献２】特開２０００−２９８３０１号公報
【発明の開示】
【発明が解決しようとする課題】
【０００３】
しかしながら、特許文献１に記載の発明においては、キセノン管の発光時間を制御することを目的として、キセノン管を短時間発光させる回路と、キセノン管を連続発光させる回路とを備えている。したがって、特許文献１に記載のストロボ装置を製造する場合には、回路を２つ用いるので、コストの削減、及び装置のコンパクト化には限界がある場合がある。更に、特許文献１に記載の発明においては、撮像に要する光量を算出していないので、撮像にあたって適切な光量を有する光を被写体に照射できない場合がある。また、特許文献２に記載の発明においては、キセノン管を間欠発光させることができるが、単にキセノン管を間欠発光させるだけでは、光が照射された被写体から反射される光を、撮像に適した輝度になるように間欠発光の光量を制御することは困難な場合がある。
【０００４】
そこで本発明は、上記課題を解決することができる撮像装置、発光装置、及び発光方法を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、撮像装置であって、複数の画像を含む動画を撮像する撮像部と、撮像部が画像を撮像する場合に必要とされる動画用の要求光量を算出する要求光量算出部と、撮像部が画像を撮像する場合の露光期間において、要求光量算出部が算出した動画用の要求光量を所定の発光回数で除した発光用光量の光で発光部を所定の発光回数発光させる発光制御部とを備える。また、撮像部は、静止画を撮像し、要求光量算出部は、撮像部が静止画を撮像する場合に必要とされる静止画用の要求光量を算出し、発光制御部は、撮像部が静止画を撮像する場合の露光期間において、要求光量算出部が算出した静止画用の要求光量の光で発光部を発光させてもよい。更に、要求光量算出部が算出した動画用の要求光量を、所定の間欠発光回数で除した間欠発光用光量を算出して、発光制御部に通知する間欠発光用光量算出部をさらに備え、発光制御部は、間欠発光用光量算出部に通知された間欠発光用光量の光で発光部を所定の間欠発光回数発光させてもよい。
【０００６】
また、本発明の第２の形態においては、発光装置であって、撮像部が撮像する場合に、被写体に対して発光する発光装置であって、撮像部が画像を撮像する場合に、被写体に対して発光する発光部と、撮像部が画像を撮像する場合に必要とされる動画用の要求光量を算出する要求光量算出部と、撮像部が画像を撮像する場合の露光期間において、要求光量算出部が算出した動画用の要求光量を所定の間欠発光回数で除した間欠発光用光量の光で発光部を所定の間欠発光回数発光させる発光制御部とを備える。
【０００７】
また、本発明の第３の形態においては、撮像部が複数の画像を含む動画を撮像する場合に、被写体に対して発光する発光方法であって、撮像部が画像を撮像する場合に必要とされる動画用の要求光量を算出する要求光量算出段階と、撮像部が画像を撮像する場合の露光期間において、要求光量算出段階が算出した動画用の要求光量を所定の間欠発光回数で除した間欠発光用光量の光で発光部を所定の間欠発光回数発光させる発光制御段階とを備える。
【０００８】
また、本発明の第４の形態においては、撮像装置であって、複数の画像を含む動画を撮像する撮像部と、撮像部が有する受光素子の実際の受光感度より高い仮想的な受光感度を算出する仮想受光感度算出部と、仮想受光感度算出部が算出した仮想的な受光感度に基づいて、撮像部が画像を撮像する場合に必要とされる動画用の仮想的な要求光量を算出する仮想要求光量算出部と、発光部が発光する光の合計光量が、仮想要求光量算出部が算出した仮想的な要求光量に、実際の受光感度に対する仮想的な受光感度の大きさを乗じた光量になるように発光部を複数回発光させる発光制御部とを備える。また、仮想受光感度算出部は、撮像部が有する受光素子の実際の受光感度に所定の発光回数を乗じた仮想的な受光感度を算出し、発光制御部は、撮像部が画像を撮像する場合の露光期間において、仮想要求光量算出部が算出した動画用の要求光量の光で発光部を所定の間欠発光回数発光させてもよい。
【０００９】
また、本発明の第５の形態においては、撮像部が複数の画像を含む動画を撮像する場合に、被写体に対して発光する発光方法であって、撮像部が有する受光素子の実際の受光感度より高い仮想的な受光感度を算出する仮想受光感度算出段階と、仮想受光感度算出段階が算出した仮想的な受光感度に基づいて、撮像部が画像を撮像する場合に必要とされる動画用の仮想的な要求光量を算出する仮想要求光量算出段階と、発光部が発光する光の合計光量が、要求光量算出段階が算出した仮想的な要求光量に、実際の受光感度に対する仮想的な受光感度の大きさを乗じた光量になるように発光部を複数回発光させる発光制御段階とを備える。
【００１０】
なお、上記の発明の概要は、本発明の必要な特徴の全てを列挙したものではなく、これらの特徴群のサブコンビネーションもまた、発明となりうる。
【発明の効果】
【００１１】
本発明によれば、動画、及び静止画を撮像する場合に、自然光だけでは光量が不足する場合でも、撮像に適切な光量の光を発光させることができる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本実施形態に係る撮像装置３００の機能構成の一例を示す。本実施形態に係る撮像装置、及び発光装置は、動画、及び静止画を撮像する場合に、自然光だけでは光量が不足する場合でも、撮像に適切な光量の光を発光させることを目的とする。撮像装置３００は、撮像部１０、発光装置２０、信号処理部３０、及び画像格納部４０を備える。そして、撮像部１０は、レンズ１２０、及び受光デバイス１４０を有する。更に、受光デバイス１４０は、複数の受光素子１６０を含む。また、発光装置２０は、発光部２２０、発光制御部２４０、要求光量算出部２６０、及び間欠発光用光量算出部２７０を有する。ここで、発光装置２０は、撮像装置３００から脱着自在となるようにしてよい。
【００１４】
撮像部１０は、複数の画像を含む動画を撮像する。なお、画像はフレーム画像、フィールド画像、及びその他の動画を構成する様々な形式の画像のいずれをも含んでよい。また、撮像部１０は、静止画を撮像してもよい。撮像部１０は、入射する光を、レンズ１２０を通して受光デバイス１４０に入射させる。そして、受光デバイス１４０は、複数の受光素子１６０において光を受光して、撮像領域の撮像画像を取得する。なお、撮像部１０が有する受光デバイス１４０は、複数のＣＣＤセンサを含んだデバイスであってよい。また、撮像部１０が有する受光デバイス１４０は、複数のＣＭＯＳセンサを含んでいてもよく、撮像部１０は、複数のＣＭＯＳセンサによって撮像領域の撮像画像を取得してもよい。受光デバイス１４０は、取得された撮像画像を信号処理部３０に供給する。
【００１５】
信号処理部３０は、撮像部１０が有する複数の受光素子１６０のそれぞれから画素データを読み出して撮像画像を取得する。信号処理部３０は、撮像部１０において取得された静止画、及び動画のそれぞれに対応した、ホワイトバランス補正処理、及びガンマ補正処理等の画像処理をする。更に、信号処理部３０は、受光デバイス１４０から受け取った撮像画像から、被写体からの反射光の光量を算出してもよい。また、信号処理部３０は、画像のサイズまたは解像度を縮小する、画像圧縮部を有していてもよい。例えば、信号処理部３０は、受光デバイス１４０から受け取った撮像画像を画像圧縮部において不可逆圧縮する。すなわち、信号処理部３０が有する画像圧縮部は、静止画像を不可逆圧縮する場合にはＪＰＥＧ等の画像圧縮方式を用いて撮像画像を圧縮してよい。また、信号処理部３０が有する画像圧縮部は、動画像を不可逆圧縮する場合にはＭＰＥＧ等の画像圧縮方式を用いて撮像画像を圧縮してよい。
【００１６】
信号処理部３０は、撮像部１０から受け取った撮像画像の画像データを、画像格納部４０に供給する。また、信号処理部３０は、撮像されている画像が動画である場合には、要求光量算出部２６０に、撮像されている画像が動画である旨を示す情報、及び被写体からの反射光の光量に関する情報を供給する。一方、信号処理部３０は、撮像されている画像が静止画である場合には、要求光量算出部２６０に、撮像されている画像が静止画である旨を示す情報、及び被写体からの反射光の光量に関する情報を供給する。
【００１７】
画像格納部４０は、撮像部１０において撮像された静止画、及び動画に含まれる複数の画像を格納する。画像格納部４０は、磁気記憶媒体、及び半導体記憶媒体等を用いた記憶装置であってよい。また、画像格納部４０は、撮像装置３００から脱着自在であってもよい。画像格納部４０は、信号処理部３０から受け取った静止画を、静止画を一意に識別できる識別子に対応づけて格納する。また、画像格納部４０は、信号処理部３０から受け取った動画に含まれる複数の画像を、画像を一意に識別できる識別子に対応づけて格納する。更に、撮像装置３００は、外部の表示装置等と通信をするインターフェースを備えていてよく、画像格納部４０は、インターネット等のネットワーク、又は、メモリ等を介して、モニタ等の表示装置に画像格納部４０に格納されている静止画、及び動画を供給してもよい。また、撮像装置３００は、撮像した静止画、及び動画を表示することができる表示部を備えていてもよい。
【００１８】
要求光量算出部２６０は、信号処理部３０から撮像されている画像が動画である旨の情報を受け取った場合には、撮像部１０が画像を撮像する場合に要求する、動画用の要求光量を算出する。また、要求光量算出部２６０は、信号処理部３０から撮像されている画像が静止画である旨の情報を受け取った場合には、撮像部１０が静止画を撮像する場合に要求する、静止画用の要求光量を算出する。要求光量算出部２６０は、動画、又は静止画を撮像する場合に要求される要求光量を、例えば、信号処理部３０から受け取った、被写体からの反射光の光量に関する情報に基づいて算出してもよい。要求光量算出部２６０は、動画用の要求光量が算出された場合には、算出された動画用の要求光量を間欠発光用光量算出部２７０に供給する。また、要求光量算出部２６０は、静止画用の要求光量が算出された場合には、算出された静止画用の要求光量を発光制御部２４０に供給する。
【００１９】
間欠発光用光量算出部２７０は、要求光量算出部２６０において算出された動画用の要求光量のデータを受け取り、受け取った動画用の要求光量を、所定の間欠発光回数で除した間欠発光用光量を算出する。なお、間欠発光回数は、撮像部１０において滑らかな動画が撮像されるのに十分な発光回数であってよい。そして、間欠発光用光量算出部２７０は、算出された間欠発光用光量を、発光制御部２４０に通知する。
【００２０】
発光制御部２４０は、撮像部１０が画像を撮像する場合の露光期間において、要求光量算出部２６０から受け取った動画用の要求光量を所定の発光回数で除した、発光用光量の光で発光部２２０を所定の発光回数発光させる。発光制御部２４０は、画像を１フレーム撮像する場合に、当該画像の撮像期間に対応する露光期間において、複数回、発光用光量の光で発光部２２０を発光させてよい。例えば、発光制御部２４０は、画像の撮像期間に含まれる露光期間ごとに、露光期間の初期、終期、及び初期と終期の間の少なくとも３回、発光用光量の光で発光部２２０を発光させることができる。なお、当該発光は、略同一の間隔で発光させてよい。また、発光制御部２４０は、要求光量算出部２６０から要求光量算出部２６０において算出された静止画用の要求光量を受け取った場合には、静止画が撮像される露光期間において、静止画用の要求光量の光で発光部２２０を発光させる。発光制御部２４０は、発光部２２０を発光させるための制御信号を、発光部２２０に供給する。
【００２１】
発光部２２０は、発光制御部２４０から受け取った制御信号に基づいて、撮像部１０が画像を撮像する場合に、被写体に対して発光する。また、発光部２２０は、発光制御部２４０から受け取った制御信号に基づいて、撮像部１０が静止画を撮像する場合に、被写体に対して発光してもよい。
【００２２】
本実施形態に係る撮像装置３００によれば、動画を撮像する場合に、自然光だけでは撮像に要する光量が不足する場合でも、撮像に要する光量を算出して、算出された光量に基づいて発光部２２０を間欠発光させることができる。これにより、動画を撮像する場合に、発光部２２０を連続発光させる場合に比べて、発光部２２０に供給される電力を充電するのに十分な時間を確保できる。
【００２３】
図２は、本実施形態に係る撮像装置３５０の機能構成の一例を示す。撮像装置３５０は、撮像部１２、信号処理部３２、画像格納部４２、発光装置２２、発光制御部２４２、仮想要求光量算出部２６２、及び仮想受光感度算出部２８０を備える。発光装置２２は、発光部２２２を有する。そして、撮像部１２は、レンズ１２２、及び受光デバイス１４２を有する。更に、受光デバイス１４２は、複数の受光素子１６２を含む。ここで、撮像部１２、信号処理部３２、画像格納部４２、発光部２２２、発光制御部２４２、レンズ１２２、受光デバイス１４２、及び複数の受光素子１６２については、上記図１において説明した同一部材名と略同一の機能を奏するので、詳細な説明については省略する。なお、本実施形態に係る撮像装置３５０において、発光部２２２は、撮像装置３５０から脱着自在であってよい。そして、発光部２２２の発光制御は、撮像装置３５０が備える発光制御部２４２が制御するので、発光装置２２は、発光部２２２を間欠発光させる等の機能を有さなくてよい。更に、発光部２２２は、グリップタイプの発光装置、クリップオンタイプの発光装置、及び撮像装置３５０に内蔵できる発光装置等の様々な発光装置を用いることができる。
【００２４】
仮想受光感度算出部２８０は、信号処理部３２から撮像されている画像が動画である旨を示す情報を受け取った場合に、撮像部１２が有する受光素子１６２の実際の受光感度より高い、仮想的な受光感度を算出する。また、仮想受光感度算出部２８０は、撮像部１２が有する受光素子１６２の実際の受光感度に、所定の発光回数を乗じた仮想的な受光感度を算出してもよい。仮想受光感度算出部２８０において算出された仮想的な受光感度は、仮想要求光量算出部２６２に供給される。仮想要求光量算出部２６２は、仮想受光感度算出部２８０から、仮想受光感度算出部２８０において算出された仮想的な受光感度を受け取り、当該仮想的な受光感度に基づいて、撮像部１２が、画像を撮像する場合に要求される動画用の要求光量を算出する。
【００２５】
例えば、仮想受光感度算出部２８０において、実際に要求される受光感度の３倍の受光感度が仮想的な受光感度として算出された場合には、仮想要求光量算出部２６２は、仮想受光感度算出部２８０から受け取った、実際に要求される受光感度の３倍の受光感度を示す情報に基づいて、動画用の要求光量を算出する。すなわち、仮想要求光量算出部２６２は、動画用の要求光量として、実際に要求される要求光量の１／３の要求光量を、動画用の要求光量として算出してよい。
【００２６】
仮想要求光量算出部２６２は、算出された要求光量を発光制御部２４２に供給する。発光制御部２４２は、仮想要求光量算出部２６２において算出された要求光量を受け取り、発光部２２２が発光する光の合計光量が、仮想要求光量算出部２６２において算出された仮想的な要求光量に、実際の受光感度に対する仮想的な受光感度の大きさを乗じた光量となるように、発光部２２２を複数回発光させる。すなわち、発光部２２２の発光光量は、各発光における光量の合計光量が実際の撮像に必要とされる光量となればよく、発光部２２２における各発光の光量はそれぞれ同一でなくてもよい。また、発光制御部２４２は、仮想要求光量算出部２６２において算出された動画用の要求光量の光で発光部２２２を所定の間欠発光回数発光させてもよい。仮想要求光量算出部２６２は、実際の動画用の要求光量に要求される光量に該当するように、間欠発光用光量の光で発光部２２２を複数回、所定の間隔ごとに発光させてよい。
【００２７】
本実施形態に係る撮像装置３５０によれば、静止画、及び動画を撮像する場合に、自然光だけでは撮像に要求される光量が不足する場合でも、発光制御部２４０において動画、及び静止画を撮像する場合に適切な光量の光を発光部２２０に発光させることができる。そして、撮像装置３５０によれば、発光装置２２に発光部２２２を間欠発光させる機能等を備えさせることなしに、動画を適切な光量下で撮像できる。これにより、撮像装置３５０は、動画を撮像する場合に、自然光だけでは光量が不足する場合でも、発光装置２２の種類によらず、適切な光量下で動画を撮像することができる。
【００２８】
図３は、本発明の一実施形態に係る撮像装置３００が備える発光装置２０、及び撮像装置３５０における間欠発光の概要を示す。撮像装置３００、及び撮像装置３５０において動画を撮像する場合には、要求光量算出部２６０、及び仮想要求光量算出部２６２において、動画を撮像する場合に要求される要求光量が算出される。また、静止画を撮像する場合においても、要求光量算出部２６０、及び仮想要求光量算出部２６２において、静止画を撮像する場合に要求される要求光量、及び仮想的な要求光量が算出される。
【００２９】
ここで、間欠発光の概要を示す一例として、撮像装置３００について考える。撮像装置３００で動画を撮像する場合には、間欠発光用光量算出部２７０は、算出された要求光量を所定の間欠発光回数で除した間欠発光用光量を算出する。そして、算出された間欠発光用光量を有する光を、発光部２２０で所定の間欠発光回数発光させることにより、動画を撮像する場合に要求される要求光量に該当する光量の光を発光させる。すなわち、撮像装置３００は、フレーム周期ごとに設定された露光期間において、動画を撮像する場合に要求される要求光量が満たされるように、発光部２２０を所定の回数発光させる。
【００３０】
発光制御部２４０は、１フレームの撮像期間に、所定の露光期間を設定する。そして、発光制御部２４０は、当該露光期間を整数等分して、当該整数等分された露光期間の各部分において、発光部２２０を所定の回数発光させてもよい。例えば、撮像装置３００において、時間ｔ５００から時間ｔ５１０までの１フレームの撮像期間に、時間ｔ４００から時間ｔ４１０までの露光期間が設定されている場合を考える。係る場合において、発光制御部２４０は、時間ｔ４００から時間ｔ４１０までの露光期間を略３等分して、略３等分された当該露光期間の各部分の露光期間において、発光部２２０を１回ずつ発光させる。例えば、発光制御部２４０は、発光部２２０をタイミング４０２、タイミング４０４、及びタイミング４０６で発光部２２０を発光させる。なお、発光部２２０が発光するタイミング間の間隔は、略同一であってもよい。
【００３１】
そして、タイミング４０２、タイミング４０４、及びタイミング４０６における発光の発光光量は、１つの画像を撮像する場合に要求される要求光量を、発光回数で除した光量に該当するように設定する。すなわち、発光制御部２４０は、発光部２２０が露光期間に３回発光する場合において、各回の発光における発光光量の合計が、１フレーム分の画像を撮像する場合に要求される要求光量に該当するように制御してよい。そして、時間ｔ５００から時間ｔ５１０までの１フレームの後に続く、時間ｔ５１０から時間ｔ５２０のフレームごとにおいても、発光制御部２４０は、上記説明と同様に発光部２２０の発光を制御して、発光部２２０を間欠発光させる。
【００３２】
ここで、１フレームの撮像期間に含まれる露光期間において、撮像装置３００が、間欠発光用光量の光を発光部２２０に発光させるタイミングは３回に限られない。発光制御部２４０は、間欠発光用光量算出部２７０において算出された間欠発光用光量に基づいて、滑らかな動画を撮像するのに十分なタイミングを定めて、発光部２２０における間欠発光回数を定めてよい。また、発光制御部２４０は、間欠発光用光量の光を発光させる各タイミング間の間隔を制御してもよい。なお、時間ｔ４１０と時間ｔ４２０との間は読み出し期間であって、当該読み出し期間においては、発光制御部２４０は、発光部２２０を発光させなくてもよい。
【００３３】
なお、撮像装置３５０においても、上記撮像装置３００における説明と同様に、発光部２２２の発光は発光制御部２４２により制御される。発光部２２が発光する光の合計光量が、仮想要求光量算出部２６２において算出された仮想的な要求光量に、実際の受光感度に対する仮想的な受光感度の大きさを乗じた光量となるように、発光部２２２を複数回発光させる。つまり、撮像装置３５０においては、発光部２２２の各発光の光量は、それぞれ同一でなくてもよい。すなわち、発光部２２２における各発光の光量の合計が、撮像に要する実際の要求光量と等しくなればよく、発光部２２２の各発光の光量は、それぞれ不均等となるように発光制御部２４２によって制御されてもよい。
【００３４】
本実施形態に係る撮像装置３００、及び撮像装置３５０によれば、フレームごとの撮像期間に含まれる露光期間において、発光装置２０、又は発光装置２２を所定の間隔をあけて複数回の間欠発光をさせることができる。これにより、撮像装置３００、及び撮像装置３５０において、滑らかな動画となる、複数の画像を撮像することができる。
【００３５】
また、本実施形態に係る撮像装置３００、及び撮像装置３５０によれば、フレームごとの撮像期間に含まれる露光期間において、発光装置２０、又は発光装置２２を所定の間隔をあけて複数回の間欠発光をさせると共に、露光期間と露光期間の間の読み出し期間においては発光装置２０、又は発光装置２２を発光させなくてもよい。
【００３６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３７】
【図１】撮像装置３００の機能構成を示すブロック図である。
【図２】撮像装置３５０の機能構成を示すブロック図である。
【図３】間欠発光の概念図である。
【符号の説明】
【００３８】
１０、１２  撮像部
２０、２２  発光装置
３０、３２  信号処理部
４０、４２  画像格納部
１２０、１２２  レンズ
１４０、１４２  受光デバイス
１６０、１６２  受光素子
２２０、２２２  発光部
２４０、２４２  発光制御部
２６０  要求光量算出部
２６２  仮想要求光量算出部
２７０  間欠発光用光量算出部
２８０  仮想受光感度算出部
３００、３５０  撮像装置
４０２、４０４、４０６  タイミング
４２２、４２４、４２６  タイミング
【図１】
2007158773.tif 000003
【図２】
2007158773.tif 000004
【図３】
2007158773.tif 000005